(57)【要約】【課題】作業者やシステムへの負荷を軽減しつつ記事加工パターンのスケジュール管理を効率的に行えるようにすること。【解決手段】情報処理装置は、記事を構成する個々の素材を選択的に用いて当該記事をどのような体裁で掲載するべきかを定める複数種の記事加工パターンの一覧を示す画面５０を表示し、入力操作により選択される個々の記事加工パターンに対してその使用日に関するスケジュールの設定を個別に行うことが可能なスケジュール設定部を有する。【選択図】      図１３
2008217169.tif 000002
【特許請求の範囲】
【請求項１】
記事を構成する個々の素材を選択的に用いて当該記事をどのような体裁で掲載するべきかを定める複数種の記事加工パターンの一覧を示す画面を表示し、入力操作により選択される個々の記事加工パターンに対してその使用日に関するスケジュールの設定を個別に行うことが可能なスケジュール設定手段を具備することを特徴とする情報処理装置。
【請求項２】
日付と曜日との関係を示すカレンダーを示す画面を表示し、入力操作に応じて、当該カレンダー上の任意の日に対して特定の名称を付す特定日登録を行うことが可能なカレンダー設定手段を更に具備し、
前記スケジュール設定手段は、入力操作に応じて、前記特定の名称が付されている日に任意の記事加工パターンが使用されるよう設定することが可能であることを特徴とする請求項１記載の情報処理装置。
【請求項３】
記事の種類に応じて設けられる複数種の定型スケジュールの一覧を示す画面を表示し、入力操作により選択される個々の定型スケジュールに対して適用されるべき記事加工パターンの使用日に関する設定を個別に行うことが可能な定型スケジュール設定手段を更に具備し、
前記スケジュール設定手段は、入力操作に応じて、２種類以上の記事加工パターンが同一の定型スケジュールに適用されるよう設定することが可能であることを特徴とする請求項１乃至２記載の情報処理装置。
【請求項４】
前記スケジュール設定手段は、
外部から記事の入信があった場合に、その時点で記事加工パターンによる記事加工を自動的に実行することを示す第１の選択肢と、ある定刻に記事加工パターンによる記事加工を自動的に実行することを示す第２の選択肢と、記事加工パターンによる記事加工を自動的に実行せず手動により実行することを示す第３の選択肢とが設けられた項目を表示し、入力操作により選択される選択肢に示される処理が実行されるよう設定することが可能であることを特徴とする請求項１乃至３記載の情報処理装置。
【請求項５】
コンピュータにおいて記事の加工スケジュールの設定を行うプログラムであって、
記事を構成する個々の素材を選択的に用いて当該記事をどのような体裁で掲載するべきかを定める複数種の記事加工パターンの一覧を示す画面を表示する機能と、
入力操作により選択される個々の記事加工パターンに対してその使用日に関するスケジュールの設定を個別に行う機能と
をコンピュータに実現させることを特徴とするプログラム。
【発明の詳細な説明】
【技術分野】
【０００１】
本発明は、新聞等の記事の加工に関する処理を行う情報処理装置、および記事加工スケジュールの設定を行うプログラムに関する。
【背景技術】
【０００２】
新聞社においては、通信社から配信される記事に基づき、当該記事をどのような体裁で掲載するべきかを定める複数種の記事加工パターンが使用される。個々の記事加工パターンの機能はコンピュータプログラム（記事加工プログラム）として実現され、必要とされる記事加工プログラムが記事加工サーバに登録された状態で使用される。
【０００３】
例えば、オリンピック大会の記録データなど、普段使わない記事に対応する記事加工プログラムは、開催期間中のみ手動で登録するようにしている。また、プロ野球の交流戦などに関するルール改正があり、それに伴い対応する記事加工プログラムを変更する必要が生じた場合には、手動でプログラムを入れ替えるようにしている。また、選挙の開票や商況のように、時事刻々と新しい情報に更新されるデータについては、あるタイミングでの最新のデータを手動操作によって選択し、加工処理を行うようにしている。
【０００４】
なお、記事加工プログラムとは異なるが、一般的なソフトウェアを必要に応じて削除したり復帰させたりする技術は知られている。例えば、特許文献１には、ソフトウェアリソース管理方法において、予め設定したルールに基づき、リソースを自動的に削除したり、一時的に保管して元の状態に回復できるようにすることが開示されている。また、特許文献２には、ユーザが任意に設定することが可能な機能に関し、ある機能に限定して以前の状態に復帰させたり、あるいは任意の過去の期日の状態に復帰させることにより、機能設定復帰の柔軟性を向上させることが開示されている。
【特許文献１】特開２００４−３４１９６７号公報
【特許文献２】特開２００５−２５８８９４号公報
【発明の開示】
【発明が解決しようとする課題】
【０００５】
従来の記事加工プログラムの登録は手動操作で行っているため、多くのプログラムを登録する際に、正しく登録されているかどうかを確認しながら作業を行わなければならず、作業者は不便を感じていた。また、新聞制作業務などにおいては、ある日を基点としてプログラムを入れ替える場合、次の日にはシステムを起動する必要があるために短い間での作業を要し、切り替え作業に非常に神経を使っていた。また、すべてのプログラムを登録しておくことも考えられるが、そのようにした場合、システムリソースを圧迫し、処理性能が劣化してしまうことになる。また、時々刻々と新しい情報に更新されるデータについては、ある時期の最新のデータを手動操作によって加工していたため、作業者は不便を感じていた。
【０００６】
本発明は上記実情に鑑みてなされたものであり、作業者やシステムへの負荷を軽減しつつ記事加工パターンのスケジュール管理を効率的に行うことが可能な情報管理システムおよびプログラムを提供することを目的とする。
【課題を解決するための手段】
【０００７】
本発明に係る情報処理装置は、記事を構成する個々の素材を選択的に用いて当該記事をどのような体裁で掲載するべきかを定める複数種の記事加工パターンの一覧を示す画面を表示し、入力操作により選択される個々の記事加工パターンに対してその使用日に関するスケジュールの設定を個別に行うことが可能なスケジュール設定手段を具備することを特徴とする。
【０００８】
本発明に係るプログラムは、コンピュータにおいて記事の加工スケジュールの設定を行うプログラムであって、記事を構成する個々の素材を選択的に用いて当該記事をどのような体裁で掲載するべきかを定める複数種の記事加工パターンの一覧を示す画面を表示する機能と、入力操作により選択される個々の記事加工パターンに対してその使用日に関するスケジュールの設定を個別に行う機能とをコンピュータに実現させることを特徴とする。
【発明の効果】
【０００９】
本発明によれば、作業者やシステムへの負荷を軽減しつつ記事加工パターンのスケジュール管理を効率的に行うことが可能となる。
【発明を実施するための最良の形態】
【００１０】
以下、図面を参照して、本発明の実施形態について説明する。
【００１１】
図１は、本発明の一実施形態に係る情報処理システムの構成の一例を示す図である。
【００１２】
情報処理システムは、例えば新聞社に設けられるものであり、サーバシステム１、通信部２、および複数の端末１１，１２，１３…により構成される。通信部２は、通信社から電文として配信されてくる記事を受信し、受信した記事をサーバシステム１へ渡す。サーバシステム１は、記事の素材を管理する素材管理サーバ（情報処理装置）や、記事の素材を用いて記事の加工を行う記事加工サーバ（情報処理装置）など、各種のサーバを備えている。各サーバは、端末１１，１２，１３…からの要求に応じ、対応するデータベース（ＤＢ）を使用することにより要求された処理を実行する。端末１１，１２，１３…は、それぞれサーバシステム１に各種の処理の実行を要求することができる。
【００１３】
図２は、本実施形態の記事加工システムで扱われる記事加工パターンを説明するための図である。
【００１４】
例えば新聞社においては、通信社から配信される記事を構成する個々の素材を選択的に用いて当該記事をどのような体裁で掲載するべきかを定める複数種の記事加工パターンが使用される。個々の記事加工パターンの機能はコンピュータプログラム（記事加工プログラム）として実現され、サーバシステム１内の記事加工サーバ上で動作する。
【００１５】
ここでは、例えば図２に示されるように、最初、３種類の記事加工パターン（以下、単に「パターン」と称す）Ａ，Ｂ，Ｃが存在するものとする。
【００１６】
例えば、通信社からは記事ａ，ｂ、ｃ，ｄが、それぞれＸＭＬをベースとしたニュース記事向けのマークアップ言語（例えば、ＮｅｗｓＭＬ（news markup Language））で記述された状態で配信されてくるものとする。記事ａ，ｂ、ｃ，ｄには、それぞれ、記事の種類を示す種別情報α，β、γ，δが付与されている。種別情報の例としては、ジャンルである「野球」や「経済」といったものがある（図１３参照）。
【００１７】
パターンＡ，Ｂ，Ｃは、加工処理の対象とすべき記事の１つ（または複数の）種別情報を有しており、その種別情報と一致する種別情報を有する記事だけを加工処理する。例えば、種別情報αを有する記事ａは、種別情報αを有するパターンＡにより加工処理され、記事ａ’となる。また、種別情報βを有する記事ｂは、種別情報βを有するパターンＡにより加工処理され、記事ｂ’となる。また、種別情報γを有する記事ｃは、種別情報γを有するパターンＢにより加工処理され、記事ｃ’となる。また、種別情報δを有する記事ｄは、種別情報δを有するパターンＣにより加工処理され、記事ｄ’となる。記事加工パターンの例としては、種別（ジャンル）「野球」については「野球イニング」「打撃３０傑」といったものがあり、種別（ジャンル）「経済」については「商況月次」といったものがある（図１３参照）。
【００１８】
記事加工パターンは新たに追加登録することもできる。例えば識別情報α，γを有するパターンＤの追加登録があった場合には、種別情報αを有する記事ａと種別情報δを有する記事ｄとが、パターンＤにより加工処理されることとなる。また、例えばパターンＡが不要になればこれを登録から外すこともできる。
【００１９】
図３は、ある日において運用が必要な記事加工プログラムだけが記事加工サーバ２０内に登録され、動作中である（もしくは動作のために待機している）状態を示している。例えば、全ての記事加工プログラムが大容量の不揮発性記憶装置に格納されており、その日に運用が必要なパターンＡ用プログラムおよびパターンＢ用プログラムだけがサーバ２０のメモリへロードされ、起動される。
【００２０】
図４は、記事加工パターンのスケジュール管理に使用されるスケジュールの一例を示す図である。このスケジュールは、日毎に、運用が必要なパターンを示すものであり、後述する各種の設定処理等を通じて作成されるものである。これは記事加工システム内のデータベースに記憶される。記事加工サーバ２０は、このようなスケジュールに基づいて、日毎に、個々の記事加工パターンを選択的にメモリにロードして運用するようになっている。つまり、ある記事加工パターンは、「○」印がついている日にはこれが実行され、「×」印がついている日には実行されない、といったことがこのスケジュールに基づいて行われる。
【００２１】
図５は、記事加工の環境と系列を説明するためのシステム構成図である。
【００２２】
記事加工の環境は、運用環境、検証環境、開発環境から構成される。運用環境は、本番データを処理する環境である。検証環境は、本番へリリースための運用ベースのシミュレーションを行う環境である。開発環境は、記事加工パターンの開発と単体の確認を行う環境である。
【００２３】
また、記事加工は、運用系、開発系、開発バックアップ系の系列を有する。運用系は、記事加工の本番運用を担当し、記事加工サーバ＃１、＃２、＃３から構成される。開発系は、記事加工の開発と検証を担当し、記事加工サーバ＃３が該当する。記事加工サーバ＃１または＃２の障害時は開発系を停止する。開発バックアップ系は、記事加工プラットフォーム等のバージョンアップ検証を含めた開発と検証を担当する開発機が該当する。
【００２４】
なお、前述の記事加工サーバ＃１、＃２、＃３の機能を、一台のサーバ（情報処理装置）で実現するようにしてもよい。
【００２５】
図６は、図５に示した記事加工サーバと素材管理サーバとの接続を説明するための図である。
【００２６】
記事加工サーバ＃１、＃２、＃３の運用系は、素材管理ＡＰ＃１、＃２を通じて、素材管理ＤＢに管理されている個々の素材を選択的に使用して記事加工を行うことができる。記事加工サーバ＃３の開発系は、検証環境においてのみ、素材管理ＡＰを通じて、素材管理ＤＢに管理されている個々の素材を使用することができる。同様に、記事加工の開発機は、検証環境においてのみ、素材管理ＡＰを通じて、素材管理ＤＢに管理されている個々の素材を使用することができる。
【００２７】
図７は、本実施形態の記事加工システムにおける各種の機能を示すブロック図である。
【００２８】
カレンダー設定部３１は、検証環境もしくは運用環境のもとで、記事加工サーバに備えられる管理機能を用いてカレンダーの設定を行う機能である。このカレンダー設定部３１は、日付と曜日との関係を示すカレンダーを示す画面を表示し、入力操作に応じて、当該カレンダー上の任意の日に対して特定の名称を付す特定日登録を行い、これをデータベースに保存する（図９参照）。
【００２９】
定型スケジュール設定部３２は、検証環境もしくは運用環境のもとで、記事加工サーバに備えられる管理機能を用いて定型スケジュールの設定を行う機能である。この定型スケジュール設定部３２は、記事の種類に応じて設けられる複数種の定型スケジュールの一覧を示す画面を表示し、入力操作により選択される個々の定型スケジュールに対して適用されるべき記事加工パターンの使用日に関する設定を個別に行い、これをデータベースに保存する（図１０参照）。
【００３０】
記事加工パターン作成部３３は、開発環境のもとで、個々の記事加工パターンを作成する機能である。
【００３１】
マスタースケジュール設定部３４は、検証環境のもとで、マスタースケジュールの設定を行う機能である。このマスタースケジュール設定部３４は、複数種の記事加工パターンの一覧を示す画面を表示し、入力操作により選択される個々の記事加工パターンに対してその使用日に関するスケジュールの設定を個別に行い、これをデータベースに保存する（図１３参照）。
【００３２】
また、このマスタースケジュール設定部３４は、入力操作に応じて、前述の特定の名称が付されている日（特定日）に任意の記事加工パターンが使用されるよう設定し、これをデータベースに保存する（図１３参照）。
【００３３】
また、このマスタースケジュール設定部３４は、２種類以上の記事加工パターンが同一の定型スケジュールに適用されるよう設定することが可能である（図１３参照）。すなわち、異なるパターンでも同一スケジュールで管理したい場合、共通のスケジュール情報を用いて設定することができる。例えば、「大相撲」は、「取組み」用のパターン、「星取表」用のパターン、あるいは「千秋楽（記事として掲載すべき項目が通常より多い）」用のパターンのように、異なるパターンがあるが、初場所、春場所のように、決まった開催時期に「大相撲」という同一スケジュールで異なるパターンを管理することができる。このような定型スケジュールと記事加工パターンとの対応関係の設定を、データベースに保存する。
【００３４】
また、このマスタースケジュール設定部３４は、通信社からの記事の入信があった場合に、その時点で記事加工パターンによる記事加工を自動的に実行することを示す第１の選択肢「随時」と、ある定刻（ないし定時）に記事加工パターンによる記事加工を自動的に実行することを示す第２の選択肢「定刻（ないし定時）」と、記事加工パターンによる記事加工を自動的に実行せず手動により実行することを示す第３の選択肢「手動」とが設けられた「起動区分」という項目を表示し、入力操作により選択される選択肢に示される処理が実行されるよう設定することが可能である（図１３参照）。例えば、「選挙の開票」は、開票開始後、通信社から最新情報が絶えず送信されてくるが、第２の選択肢である「定刻（ないし定時）」を選択し、時刻を指定することにより、その時刻での最新版で加工をするという設定ができる。このような記事加工パターンにおける起動区分の選択を含むスケジュールの設定を、データベースに保存する。
【００３５】
検証環境テスト処理部３５は、検証環境のもとで、検証環境テストを行う機能である。この検証環境テスト処理部３５は、検証環境テストにより、個々のマスタースケジュールから日毎のスケジュールである直近スケジュールを生成することが可能である。
【００３６】
直近スケジュール設定部３６は、運用環境のもとで、直近スケジュールの設定を行う機能である。この直近スケジュール設定部３６は、運用スケジュール一覧を示す画面を表示し、入力操作により選択される記事加工パターンについて起動する／しない等の設定を行い、これをデータベースに保存する（図１７参照）。
【００３７】
運用環境テスト処理部３７は、運用環境のもとで、運用環境テストを行う機能である（図１８参照）。
【００３８】
以下、上で述べた各種機能に対応した処理手順や設定画面について、順次、説明していく。
【００３９】
＜カレンダー設定／定型スケジュール設定＞
図８は、カレンダー設定および定型スケジュール設定の処理手順を説明するための図である。
【００４０】
カレンダー設定および定型スケジュール設定は、検証環境もしくは運用環境のもとで、記事加工サーバに備えられる管理機能４０を用いて開発者による画面からの入力により、データベースに保存され、これを参照して確認することもできる。まず、カレンダー設定画面で特定日を設定し（ステップＳ１１）、特定日のスケジュール設定を確認する（ステップＳ１２）。次に、定型スケジュールを設定し（ステップＳ１３）、定型スケジュールを確認する（ステップＳ１４）。
【００４１】
図９は、カレンダー設定の画面を説明するための図である。
【００４２】
管理機能一覧画面４０の中には、カレンダー機能に関する項目として、「カレンダー設定」と「特定日名称登録」とがある。管理機能一覧画面４０内の「カレンダー設定」を選択すると、カレンダー設定画面４１が表示される。ここで、表示されるカレンダー内の特定日としたい日を選択すると、特定日登録画面４２が表示される。この特定日登録画面４２においては、所望の特定日名称を指定してデータベースに登録することができる。管理機能一覧画面４０内の「特定日名称登録」を選択すると、特定日名称登録画面４３が表示される。この特定日名称登録画面４３においては、新たな特定日名称をデータベース内のリストに追加したり、不要な特定日名称をデータベース内のリストから削除したるすることができる。例えば、新聞システムに特有の「休刊日明け」や「月替わり（月末とは限らない)」なども本実施例によれば指定が可能である。
【００４３】
特に、休刊日明けにおいては、２日分の記事内容を加工して、１日分の紙面の中に収めるというように、同種の記事に対しても、通常と異なる加工処理すなわち記事加工パターンを用いるように設定することができる。さらに、「祝日扱い」「全休日前」「月替わり」「年替わり」「商況Ａ」といった、新聞システムに特有の、通常のカレンダーで扱う所定の曜日や日にちとは異なる特定日を名称として登録することができる。
【００４４】
そして、こういった「特定日」は、例えば月一回あるものとしても、その月によって実際に何日であるのかは不定である。そこで、本実施例のように、カレンダーの日付ではなく「特定日」の名称によって記事加工パターンのスケジュールを管理することにより、記事加工パターンを開発する作業者の負荷を軽減することができ、一方で、スケジュールを管理する管理者は、「特定日」の日付のみを必要に応じて変えればよいという効果がある。
【００４５】
図１０は、定型スケジュール設定の画面を説明するための図である。
【００４６】
管理機能一覧画面４０の中には、スケジュール機能に関する項目として、「定型スケジュール設定」がある。この「定型スケジュール設定」を選択すると、各種の定型スケジュールを示す定型スケジュール一覧画面４４が表示される。ここで、編集したい定型スケジュールを選択してスケジュール編集を指示する操作を行うと、定型スケジュール設定画面４５が表示される。この定型スケジュール設定画面４５においては、選択した定型スケジュールの編集を行うことができる。例えば、起動区分（随時／定刻／手動）、日、時刻のほか、例外設定（無効設定）として記事加工パターンが起動しない日を指定することができる。このように編集した定型スケジュールをデータベースに保存する。また、これに対応する記事加工パターンが設定済みの場合には、その記事加工パターン名も表示される。
【００４７】
＜記事加工パターンの作成＞
図１１は、記事加工パターンの作成の処理手順を説明するための図である。
【００４８】
記事加工パターンの作成は、開発環境のもとで開発者により進められる。まず、記事加工パターン（ＰＴＮ）を作成し、保存する（ステップＳ２１）。次に、作成結果の単体確認をする（ステップＳ２２）。ここでは、開発環境における記事加工ローカル保存データで単体で変換結果を確認する。次に、単体での変換結果で問題なければ、パターン（ＰＴＮ）登録ボタンを押す（ステップＳ２３）ことにより、検証環境の記憶装置に当該記事加工パターンが登録される。こうした一連の処理を記事加工パターン毎に行う。
【００４９】
＜記事加工パターンのマスタースケジュール設定＞
図１２は、記事加工パターンのマスタースケジュール設定の処理手順を説明するための図である。
【００５０】
記事加工パターンのマスタースケジュール設定は、検証環境のもとで開発者により行われる。まず、一覧画面からスケジュール設定する対象の記事加工パターンを選択する（ステップＳ３１）。次に、マスタースケジュール設定画面で設定したスケジュールを記憶装置から読み出して表示したものを確認する（ステップＳ３３）。次に、検証環境でのテストが不要な場合、マスタースケジュールを記事加工パターンに関連付けて運用環境の記憶装置にに登録する（ステップＳ３４）。
【００５１】
図１３は、記事加工パターンのスケジュール設定の画面を説明するための図である。
【００５２】
記事加工パターン一覧画面５０の中には、登録済みの各種の記事加工パターンの一覧が表示される。ここで、スケジュール設定したい記事加工パターンを選択すると、これに関連付けて記憶されている各種のスケジュールがデータベースから抽出されて、その結果を示すスケジュール一覧画面５１が表示される。ここで、編集したいスケジュールを選択して編集を指示する操作を行うと、スケジュール設定画面５２が表示される。このスケジュール設定画面５２においては、選択したスケジュールの詳細な項目の内容の編集を行うことができる。
【００５３】
スケジュールの編集の際には、新たにスケジュールを作成してもよいし、予めデータベースに用意されてる各種の定型スケジュールの中から所望の定型スケジュールを指定するだけでもよい。新たにスケジュールを作成する場合には、例えば、起動区分（随時／定刻／手動）、日、時刻、面情報のほか、例外設定（無効設定）として当該記事加工パターンが起動しない日を指定することができる。一方、定型スケジュールを利用する場合には、スケジュール設定画面５２内の「定型スケジュール」を選択する。これにより、各種の定型スケジュールを示す定型スケジュール一覧画面５３が表示される。ここで設定したい定型スケジュールを選択して設定を指示する操作を行うと、スケジュール設定が行われる。このように設定したスケジュールを記事加工パターンと関連付けてデータベースに保存する。
【００５４】
また、スケジュール一覧画面５１においては、確認したいスケジュールを選択して確認を指示する操作を行うと、これをデータベースから抽出し、その結果を示すスケジュール確認画面５４が表示される。このスケジュール確認画面５４を見ることにより、選択したスケジュールの運用期間における日毎の内容を確認することができる。
【００５５】
＜検証環境でのテスト＞
図１４は、検証環境でのテストの処理手順を説明するための図である。
【００５６】
検証環境でのテストは、検証環境のもとで開発者により進められる。まず、一覧画面からテスト対象の記事加工パターンを指定する（ステップＳ４１）。次に、テスト開始（外部受信）ボタンを押す（ステップＳ４２）。他システム（外部）から記事を検証環境に送付し、ジャッジメントの動作を確認する（ステップＳ４３）。すると、検証環境においてスケジュールに関連付けられた記事加工パターンが当該記事の加工を行い、その加工結果を記憶装置に保存する。次に、加工結果を確認する（ステップＳ４４）。また、他システムにおいては組版での動作を確認する（ステップＳ４４’）。最後に、正常に動作した記事加工パターンとスケジュールとを登録し、正常に動作しなかった場合は、記事加工パターンの再編集や削除を行う（ステップＳ４５）。
【００５７】
図１５は、検証環境でのテスト作業に使用される記事加工パターン一覧の画面を説明するための図である。
【００５８】
記事加工パターン一覧画面５０においては、記事加工パターンの再編集を指示する操作を行うことにより、開発環境において当該記事加工パターンの再編集を実行することができる。例えば、検証環境でのテストで正常に動作しなかった場合には、開発環境にて当該記事加工パターンの再編集を行う。
【００５９】
＜直近スケジュールの設定＞
図１６は、運用スケジュール一覧画面での直近スケジュールの設定の処理手順を説明するための図である。
【００６０】
直近スケジュールの設定は、運用環境のもとで運用者により行われる。まず、一覧画面からスケジュール設定する日を選択指定する（ステップＳ５１）。次に、面、実施の有無を指定する（ステップＳ５２）。そして、直近スケジュールを運用環境の記憶装置に記憶する。次に、一覧画面で設定が更新されたことを確認する（ステップＳ５３）。こうした一連の処理を、スケジュール設定する日毎に実行する。
【００６１】
図１７は、直近スケジュール設定に使用される運用スケジュール一覧の画面を説明するための図である。
【００６２】
運用スケジュール一覧画面６０には、各種の記事加工パターンが表示されるとともに、これらの記事加工パターンの起動の有無を、直近の１週間分について日毎に示す直近スケジュールがデータベースから抽出され、その結果が表示される。また、状態（実行中／未実行）についても記事加工パターン毎に表示される。ここで、ある記事加工パターンを選択する操作を行うと、その記事加工パターンが適用される各種のスケジュールデータベースから抽出され、その結果を示すスケジュール一覧画面６１が表示される。更に、このスケジュール一覧画面６１において１つのスケジュールについて確認を指示する操作を行うと、当該スケジュールに関するスケジュール確認画面６２が表示される。この画面を見ることにより、選択した記事加工パターンが適用される個々のスケジュールの運用期間における日毎の内容を確認することができる。
【００６３】
また、運用スケジュール一覧画面６０においては、ある記事加工パターンに対応する直近スケジュールの中のある日を選択する操作を行うと、その日に関する起動設定画面６３が表示される。この起動設定画面６３においては、起動（する／しない）、起動区分（随時／定刻／手動）、時刻、面情報についての設定を指示し、これをデータベースに保存することができる。
【００６４】
また、運用スケジュール一覧画面６０においては、表示された記事加工パターンを選択し、再編集を指示する操作を行うことにより、再編集を実行することができる。例えば、運用環境でのテストで正常に動作しなかった場合には、開発環境にて当該記事加工パターンの再編集を行う。
【００６５】
＜運用環境でのテスト＞
図１８は、運用環境でのテストの処理手順を説明するための図である。
【００６６】
運用環境でのテストは、運用環境のもとで運用者により行われる。まず、一覧画面からテスト対象の記事加工パターンを指定する（ステップＳ６１）。他システムから記事を運用環境に送付し、ジャッジメントの動作を確認する（ステップＳ６２）。運用環境では、指定された（記憶装置に記憶されている）記事加工パターンにより当該記事の加工処理が行われ、その加工結果が記憶装置に保存される。次に、加工結果や性能を記憶装置より表示させて確認する（ステップＳ６４）。また、他システムにおいては組版での動作を確認する（ステップＳ６４’）。最後に、正常に動作した場合は、必要に応じてスケジュールを元のテスト前のものに戻し、一方、正常に動作しなかった場合は、記事加工パターン、スケジュールを記憶装置から削除する、またはパターンを再編集するという処理を行う（ステップＳ６５）。
【００６７】
図１９は、運用環境でのテスト作業に使用される運用スケジュール一覧の画面を説明するための図である。
【００６８】
運用スケジュール一覧画面６０においては、選択した記事加工パターンの再編集を指示する操作を行うことにより、当該記事加工パターンを開発環境で再編集を実行することができる。例えば、運用環境でのテストで正常に動作しなかった場合には、開発環境にて再編集を行う。
【００６９】
このように、本実施形態によれば、複数種の記事加工パターンの一覧を示す画面を表示し、入力操作により選択される個々の記事加工パターンに対してその使用日に関するスケジュールの設定を個別に行う機能などを用いて記事加工パターンのスケジュール管理を行うことにより、作業者やシステムへの負荷を軽減しつつ効率的なスケジュール管理を実現できる。
【００７０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７１】
【図１】本発明の一実施形態に係る情報処理システムの構成の一例を示す図。
【図２】同実施形態の記事加工システムで扱われる記事加工パターンを説明するための図。
【図３】ある日において運用が必要な記事加工プログラムだけが記事加工サーバ内に登録されることを説明するための図。
【図４】記事加工パターンのスケジュール管理に使用されるスケジュールの一例を示す図。
【図５】記事加工の環境と系列を説明するためのシステム構成図。
【図６】図５に示した記事加工サーバと素材管理サーバとの接続を説明するための図。
【図７】記事加工システムにおける各種の機能を示すブロック図。
【図８】カレンダー設定および定型スケジュール設定の処理手順を説明するための図。
【図９】カレンダー設定の画面を説明するための図。
【図１０】定型スケジュール設定の画面を説明するための図。
【図１１】記事加工パターンの作成の処理手順を説明するための図。
【図１２】記事加工パターンのマスタースケジュール設定の処理手順を説明するための図。
【図１３】記事加工パターンのスケジュール設定の画面を説明するための図。
【図１４】検証環境でのテストの処理手順を説明するための図。
【図１５】検証環境でのテスト作業に使用される記事加工パターン一覧の画面を説明するための図。
【図１６】運用スケジュール一覧画面での直近スケジュールの設定の処理手順を説明するための図。
【図１７】直近スケジュール設定に使用される運用スケジュール一覧の画面を説明するための図。
【図１８】運用環境でのテストの処理手順を説明するための図。
【図１９】運用環境でのテスト作業に使用される運用スケジュール一覧の画面を説明するための図。
【符号の説明】
【００７２】
１…サーバシステム、２…通信部、１１，１２，１３…端末、３１…カレンダー設定部、３２…定型スケジュール設定部、３３…記事加工パターン作成部、３４…マスタースケジュール設定部、３５…検証環境テスト処理部、３６…直近スケジュール設定部、３７…運用環境テスト処理部。
【図１】
2008217169.tif 000003
【図２】
2008217169.tif 000004
【図３】
2008217169.tif 000005
【図４】
2008217169.tif 000006
【図５】
2008217169.tif 000007
【図６】
2008217169.tif 000008
【図７】
2008217169.tif 000009
【図８】
2008217169.tif 000010
【図９】
2008217169.tif 000011
【図１０】
2008217169.tif 000012
【図１１】
2008217169.tif 000013
【図１２】
2008217169.tif 000014
【図１３】
2008217169.tif 000015
【図１４】
2008217169.tif 000016
【図１５】
2008217169.tif 000017
【図１６】
2008217169.tif 000018
【図１７】
2008217169.tif 000019
【図１８】
2008217169.tif 000020
【図１９】
2008217169.tif 000021